(57)【要約】【課題】光沢性および写像性にむらのない均一な画像を記録することが可能なインクジェット記録装置および記録方法を提供する。【解決手段】記録媒体の所定領域に対する画像データに基づいて、所定領域に対する有色インクと画質向上液の記録順序を異ならせる。これにより、互いに異なる光沢度や写像性を有する傾向にある様々な濃度領域において、光沢度および写像性が共に「中」程度に調整された、均一な画像を記録することが可能となる。【選択図】図１２
2012011727.tif 000002
【特許請求の範囲】
【請求項１】
色材を含有する有色インクと、該有色インクで記録した画像の画質を向上させるための色材を含有しない画質向上液を吐出する記録ヘッドを用い、該記録ヘッドを記録媒体に対し移動させることによって、記録媒体に画像を記録するインクジェット記録装置において、
記録媒体の所定領域に対する画像データに基づいて、前記所定領域に対する前記有色インクと前記画質向上液の記録順序を異ならせる記録制御手段を備えることを特徴とするインクジェット記録装置。
【請求項２】
前記記録制御手段は、記録媒体に対する記録の許容或いは非許容を定めるマスクパターンを、前記所定領域に対する画像データに基づいて切り替えることにより、前記所定領域に対する前記有色インクと前記画質向上液の記録順序を異ならせることを特徴とする請求項１に記載のインクジェット記録装置。
【請求項３】
前記記録制御手段は、前記画質向上液を吐出する複数のノズルのうち、吐出に使用するノズルを、前記所定領域に対する画像データに基づいて切り替えることにより、前記所定領域に対する前記有色インクと前記画質向上液の記録順序を異ならせることを特徴とする請求項１に記載のインクジェット記録装置。
【請求項４】
前記ヘッドを記録媒体に対し往復に移動させながら、前記有色インクおよび前記画質向上液を吐出することによって、記録媒体に画像を記録する請求項１または２に記載のインクジェット記録装置。
【請求項５】
前記記録ヘッドには、前記画質向上液を吐出するノズルが前記移動の方向とは交差する方向に配列した２つのノズル列と、前記有色インクを吐出するノズルが前記移動の方向とは交差する方向に配列した複数の種類の前記有色インクに対応する複数のノズル列が備えられ、
前記画質向上液を吐出する２つのノズル列は、前記有色インクを吐出する複数のノズル列の両側に配置されており、前記記録ヘッドの往路の移動と復路の移動とで、前記画質向上液を吐出する２つのノズル列における記録の許容と非許容が切り替えられることにより、前記所定領域に対する前記有色インクと前記画質向上液の記録順序を異ならせることを特徴とする請求項４に記載のインクジェット記録装置。
【請求項６】
前記記録制御手段は、前記画像データから算出される前記所定領域に対応する前記有色インクの総記録デューティに基づいて、前記所定領域に対する前記有色インクと前記画質向上液の記録順序を異ならせる記録制御手段を備えることを特徴とする請求項１乃至５のいずれかに記載のインクジェット記録装置。
【請求項７】
前記記録制御手段は、前記画像データから算出される前記所定領域に対応する前記有色インクの総記録デューティおよび前記有色インクの数に基づいて、前記所定領域に対する前記有色インクと前記画質向上液の記録順序を異ならせる記録制御手段を備えることを特徴とする請求項１乃至５のいずれかに記載のインクジェット記録装置。
【請求項８】
前記記録制御手段は、前記画像データから算出される前記所定領域に対応する、複数の前記有色インクの記録デューティの組み合わせに基づいて、前記所定領域に対する前記有色インクと前記画質向上液の記録順序を異ならせる記録制御手段を備えることを特徴とする請求項１乃至５のいずれかに記載のインクジェット記録装置。
【請求項９】
前記記録制御手段は、前記画像データから算出される前記所定領域における色相と明度に基づいて、前記所定領域に対する前記有色インクと前記画質向上液の記録順序を異ならせる記録制御手段を備えることを特徴とする請求項１乃至５のいずれかに記載のインクジェット記録装置。
【請求項１０】
前記記録制御手段は、前記画像データから得られる前記所定領域に対応するＲＧＢデータに基づいて、前記所定領域に対する前記有色インクと前記画質向上液の記録順序を異ならせる記録制御手段を備えることを特徴とする請求項１乃至５のいずれかに記載のインクジェット記録装置。
【請求項１１】
前記有色インクは、色材として顔料が含有されていることを特徴とする請求項１ないし１０のいずれかに記載のインクジェット記録装置。
【請求項１２】
色材を含有する有色インクと、該有色インクで記録した画像の画質を向上させるための色材を含有しない画質向上液を吐出する記録ヘッドを用い、該記録ヘッドを記録媒体に対し移動させることによって、記録媒体に画像を記録するインクジェット記録方法において、
記録媒体の所定領域に対する画像データに基づいて、前記所定領域に対する前記有色インクと前記画質向上液の記録順序を異ならせることを特徴とするインクジェット記録方法。
【発明の詳細な説明】
【技術分野】
【０００１】
本発明は、有色インクと画質を向上させるための画質向上液の両方を記録媒体に付与して画像を記録するインクジェット記録装置に関する。特に、記録後の画像において、光沢性や写像性にむらを生じさせないようにするためのインクジェット記録方法に関する。
【背景技術】
【０００２】
インクジェット記録装置では、様々な記録媒体に対して高品位な画像を記録することが求められる。特に光沢を有する光沢紙に記録を行う場合には、画像全体において一様な光沢性と高い写像性が要求される。しかしながら、インクジェット記録装置では、画像データに応じて有色インクの記録を行うので、インク付与量の比較的多い領域や少ない領域、或いは全く有色インクが付与されない領域が同じ記録媒体上で分布する。そして、この有色インクの付与量のばらつきが光沢性のむらとなって感知されてしまう場合がある。
【０００３】
これに対し、特許文献１には、有色インクのほか画像の光沢性などを向上させるための画質向上液を用意し、この画質向上液の付与量を有色インクの付与量に応じて可変にする構成が開示されている。特許文献１では、有色インクの付与量が比較的多い領域の方が、比較的少ない領域よりも光沢度が勝っていることに着目し、有色インクの付与量が少ない領域に、より多くの画質向上液を付与するように制御している。このような方法により、有色インクの付与量が少ない領域の光沢度を有色インクの付与量が多い領域の光沢度に近づけ、画像内での光沢度の不均一性を軽減することが出来る。
【先行技術文献】
【特許文献】
【０００４】
【特許文献１】特許第４００３７６０号公報
【発明の概要】
【発明が解決しようとする課題】
【０００５】
しかしながら、特許文献１の方法で調整されるのは、有色インクの量に応じた画質向上液の量のみであり、その記録方法、特に有色インクと画質向上液の記録の順番を制御するものではなかった。記録媒体に対する有色インクと画質向上液の記録の順番は、画像表面の凹凸に影響する。よって、有色インクを記録してから画質向上液を記録する箇所や画質向上液を記録してから有色インクを記録する箇所が混在すると、画像表面に十分な平滑性が得られず、十分な写像性を得ることが出来なかった。
【０００６】
本発明は上記課題を解決するためになされたものである。よってその目的とするところは、光沢性および写像性にむらのない均一な画像を記録することが可能なインクジェット記録装置を提供することである。
【課題を解決するための手段】
【０００７】
そのために本発明は、色材を含有する有色インクと、該有色インクで記録した画像の画質を向上させるための色材を含有しない画質向上液を吐出する記録ヘッドを用い、該記録ヘッドを記録媒体に対し移動させることによって、記録媒体に画像を記録するインクジェット記録装置において、記録媒体の所定領域に対する画像データに基づいて、前記所定領域に対する前記有色インクと前記画質向上液の記録順序を異ならせる記録制御手段を備えることを特徴とする。
【発明の効果】
【０００８】
本発明によれば、各記録走査のたびに各画素の画像データに対応づけて、混在打ち記録と後打ち記録を切り替えることが出来る。これにより、互いに異なる光沢度や写像性を有する傾向にある様々な濃度領域において、光沢度および写像性が共に「中」程度に調整された、均一な画像を記録することが可能となる。
【図面の簡単な説明】
【０００９】
【図１】（ａ）および（ｂ）は、本発明で使用可能なインクジェット記録装置の斜視図である。
【図２】本発明で使用可能なインクジェット記録装置の制御構成を示すブロック図である。
【図３】本発明で使用可能なインクジェット記録ヘッドの一例である。
【図４】画像データの変換処理の工程を説明するためのブロック図である。
【図５】画像データ情報及び記録制御情報の構成例を示した図である。
【図６】１７階調のドット配置パターンを説明する図である。
【図７】マルチパス記録を模式的に説明するための図である。
【図８】（ａ）〜（ｄ）は、光沢度とヘイズの測定方法を説明する図である。
【図９】写像性と光沢度が階調に応じて変化する様子を説明するための図である。
【図１０】（ａ）〜（ｃ）は、有色インクと画質向上液を記録する順番が記録媒体表面の平滑性に影響を与える様子を説明するための図である。
【図１１】記録ヘッドの吐出口列の配列状態を示す図である。
【図１２】マスクパターンの選択処理を説明するためのフローチャートである。
【図１３】総記録デューティと記録方法を対応付けて説明するための図である。
【図１４】（ａ）〜（ｃ）は１パス双方向を実行する際に後打ち記録を実現するマスクパターンＢを示す図である。
【図１５】（ａ）〜（ｃ）は１パス双方向を実行する際に混在打ち記録を実現するマスクパターンＡを示す図である。
【図１６】（ａ）および（ｂ）は、２パス双方向を実行する際に後打ち記録を実現するマスクパターンＢを説明するための図である。
【図１７】（ａ）および（ｂ）は、２パス双方向を実行する際に混在打ち記録を実現するマスクパターンＡを説明するための図である。
【図１８】総記録デューティとインク数の組み合わせに対する、混在打ち記録あるいは後打ち記録の設定を示す図である。
【図１９】有色インクの記録デューティの組み合わせに対する、混在打ち記録あるいは後打ち記録の設定例を示す図である。
【図２０】（ａ）および（ｂ）は、色空間における色相の配置関係と色相ごとに定められた閾値ＴＬ*を示す図である。
【図２１】画像データの変換処理の工程を説明するためのブロック図である。
【図２２】（ａ）〜（ｃ）は、ＲＧＢデータからマスク選択情報を生成する方法を示す図である。
【図２３】本発明で使用可能な記録ヘッドの別例である。
【図２４】（ａ）〜（ｄ）は、実施例６に適用可能なマスクパターンを示す図である。
【図２５】本発明で使用可能な記録ヘッドの別例である。
【発明を実施するための形態】
【００１０】
［実施例１］
図１（ａ）および（ｂ）は、本発明の実施例で使用可能なインクジェット記録装置の斜視図である。図１（ａ）は概観斜視図、同図（ｂ）は主な内部機構を示している。使用時、給紙トレイ１２および排紙トレイ７は図１（ａ）のように開放される。そして、給紙トレイ１２に積載された記録媒体の１枚が記録装置内に給紙され、記録が行われた後に排紙トレイ７に排紙される。
【００１１】
図１（ｂ）を参照するに、キャリッジ５に搭載された記録ヘッド１は、矢印Ａ１、Ａ２方向にガイド軸３およびガイドレール４に沿って往復移動しながらノズルからインクを吐出し、記録媒体Ｓ上に画像を形成する。記録ヘッド１は、例えば、それぞれ異なった色のインクと画質向上液に対応した複数のノズル群を有している。本実施例において有色インクは、シアン（Ｃ）、マゼンタ（Ｍ）、イエロー（Ｙ）、ブラック（Ｋ）、ライトシアン（ＬＣ）、ライトマゼンタ（ＬＭ）、レッド（Ｒ）、グレー（Ｇｒａｙ）ライトグレー（ＬＧｒａｙ）の９色である。また、画質を向上させるための画質向上液（ＣＬ）も用意している。各インクはそれぞれ独立したインクタンク６に貯留され、ここから記録ヘッド１に供給される。
【００１２】
キャリッジ５は、ガイドレール４とガイド軸３によってＡ１、Ａ２方向（主走査方向）へ案内支持されながら、キャリッジモータ１１の駆動力がタイミングベルト１７を介して伝達されることによってＡ１、Ａ２方向に移動する。キャリッジ５が移動する際、キャリッジ５に備えられたエンコーダセンサ２１が、キャリッジ５の移動方向に平行して配備された不図示のリニアスケールを検出することにより、キャリッジ５の現在位置を判断する。キャリッジ５が主走査方向に移動中、キャリッジ５に搭載された記録ヘッド１は記録信号に応じてインクを吐出し、記録媒体Ｓに一行分の画像を記録する。記録ヘッド１によって記録が行われる領域の記録媒体の背面にはプラテン２が配備され、記録ヘッド１の吐出口面と記録媒体Ｓとの距離を平行且つ一定に保っている。記録ヘッドによる一行分の記録主走査が終了すると記録媒体ＳはＡ方向と交差するＢ方向（副走査方向）に記録ヘッド１の記録幅に対応した分だけ搬送される。
【００１３】
記録媒体Ｓの搬送は、記録媒体Ｓを表裏面から挟持する搬送ローラ１６とピンチローラ１５が、搬送モータ１３を駆動源としたリニアホイール２０の回転に追従して回転することによって行われる。このような記録ヘッド１による記録主走査と記録媒体Ｓの搬送動作を交互に繰り返すことにより、記録媒体Ｓに段階的に画像が記録されていく。
【００１４】
キャリッジ５の移動可能領域内で記録領域外の位置には、記録ヘッド１をメンテナンスするための回復ユニット１４とヘッドキャップ１０が備えられている。例えば、ヘッドキャップ１０が記録ヘッド１の吐出口面をキャップした状態で回復ユニット１４に含まれる不図示の吸引ポンプが作動することにより、記録ヘッド１の内部の不要な泡や異物を含んだインクが強制的に排出される。
【００１５】
図２は、本実施例で使用するインクジェット記録装置の制御の構成を説明するためのブロック図である。
【００１６】
コントローラ１００は主制御部であり、マイクロ・コンピュータ形態のＡＳＩＣ１０１、ＲＯＭ１０３、ＲＡＭ１０５を有する。ＲＯＭ１０３は、後述するドット配置パターンやマスクパターン、その他の固定データや各種プログラムを格納している。ＲＡＭ１０５は、画像データを展開する領域や作業用の領域等を提供している。ＡＳＩＣ１０１は、ＲＯＭ１０３からプログラムを読み出し、画像データを記録媒体へ記録するまでの一連の処理を実行する。例えば、本発明の特徴的な処理として、記録デューティに対応する情報からＲＯＭ１０３に格納された複数のマスクパターンの中から１つを選択して画像データを分割し、各記録主走査（パス）の記録データを生成する。
【００１７】
ホスト装置１１０は、画像データの供給源（プリントに係る画像等のデータの作成、処理等を行うコンピュータとする他、画像読み取り用のリーダ部等の形態であってもよい）である。画像データ、その他のコマンド、ステータス信号等は、インタフェース（Ｉ／Ｆ）１１２を介してコントローラ１００と送受信される。
【００１８】
ヘッド・ドライバ１４０は、プリント・データ等に応じて記録ヘッド１を駆動するドライバである。モータ・ドライバ１５０はキャリッジモータ１１を駆動するドライバであり、モータ・ドライバ１６０は搬送モータ１３を駆動するドライバである。
【００１９】
次に、本実施例で使用する有色インクおよび画質向上液の成分及び製造方法について説明する。まずは、インクを構成する各成分について説明する。
【００２０】
（水性媒体）
本発明で使用するインクには、水及び水溶性有機溶剤を含有する水性媒体を用いることが好ましい。インク中の水溶性有機溶剤の含有量（質量％）は、インク全質量を基準として３．０質量％以上５０．０質量％以下とすることが好ましい。又、インク中の水の含有量（質量％）は、インク全質量を基準として５０．０質量％以上９５．０質量％以下とすることが好ましい。
【００２１】
水溶性有機溶剤は、具体的には、例えば、以下のものを用いることができる。メタノール、エタノール、プロパノール、プロパンジオール、ブタノール、ブタンジオール、ペンタノール、ペンタンジオール、ヘキサノール、ヘキサンジオール、等の炭素数１〜６のアルキルアルコール類。ジメチルホルムアミド、ジメチルアセトアミド等のアミド類。アセトン、ジアセトンアルコール等のケトン又はケトアルコール類。テトラヒドロフラン、ジオキサン等のエーテル類。ポリエチレングリコール、ポリプロピレングリコール等の平均分子量２００、３００、４００、６００、及び１，０００等のポリアルキレングリコール類。エチレングリコール、プロピレングリコール、ブチレングリコール、トリエチレングリコール、１，２，６−ヘキサントリオール、チオジグリコール、ヘキシレングリコール、ジエチレングリコール等の炭素数２〜６のアルキレン基を持つアルキレングリコール類。ポリエチレングリコールモノメチルエーテルアセテート等の低級アルキルエーテルアセテート。グリセリン、エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類。Ｎ−メチル−２−ピロリドン、２−ピロリドン、１，３−ジメチル−２−イミダゾリジノン等。又、水は、脱イオン水（イオン交換水）を用いることが好ましい。
【００２２】
（顔料）
色材としての顔料は、カーボンブラックや有機顔料を用いることが好ましい。インク中の顔料の含有量（質量％）は、インク全質量を基準として０．１質量％以上１５．０質量％以下とすることが好ましい。
【００２３】
ブラックインク（Ｂｋ１）については、ファーネスブラック、ランプブラック、アセチレンブラック、チャンネルブラック等のカーボンブラックを顔料として用いることが好ましい。具体的には、例えば、以下の市販品等を用いることができる。レイヴァン：７０００、５７５０、５２５０、５０００ＵＬＴＲＡ、３５００、２０００、１５００、１２５０、１２００、１１９０ＵＬＴＲＡ−ＩＩ、１１７０、１２５５（以上、コロンビア製）。ブラックパールズＬ、リーガル：３３０Ｒ、４００Ｒ、６６０Ｒ、モウグルＬ、モナク：７００、８００、８８０、９００、１０００、１１００、１３００、１４００、２０００、ヴァルカンＸＣ−７２Ｒ（以上、キャボット製）。カラーブラック：ＦＷ１、ＦＷ２、ＦＷ２Ｖ、ＦＷ１８、ＦＷ２００、Ｓ１５０、Ｓ１６０、Ｓ１７０、プリンテックス：３５、Ｕ、Ｖ、１４０Ｕ、１４０Ｖ、スペシャルブラック：６、５、４Ａ、４（以上、デグッサ製）。Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上、三菱化学製）。又、本発明のために新たに調製したカーボンブラックを用いることもできる。勿論、本発明はこれらに限定されるものではなく、従来のカーボンブラックを何れも用いることができる。又、カーボンブラックに限定されず、マグネタイト、フェライト等の磁性体微粒子や、チタンブラック等を顔料として用いてもよい。
【００２４】
有色インクについては、以下に示す有機顔料を使用することが出来る。トルイジンレッド、トルイジンマルーン、ハンザイエロー、ベンジジンイエロー、ピラゾロンレッド等の水不溶性アゾ顔料。リトールレッド、ヘリオボルドー、ピグメントスカーレット、パーマネントレッド２Ｂ等の水溶性アゾ顔料。アリザリン、インダントロン、チオインジゴマルーン等の建染染料からの誘導体。フタロシアニンブルー、フタロシアニングリーン等のフタロシアニン系顔料。キナクリドンレッド、キナクリドンマゼンタ等のキナクリドン系顔料。ペリレンレッド、ペリレンスカーレット等のペリレン系顔料。イソインドリノンイエロー、イソインドリノンオレンジ等のイソインドリノン系顔料。ベンズイミダゾロンイエロー、ベンズイミダゾロンオレンジ、ベンズイミダゾロンレッド等のイミダゾロン系顔料。ピランスロンレッド、ピランスロンオレンジ等のピランスロン系顔料。インジゴ系顔料、縮合アゾ系顔料、チオインジゴ系顔料、ジケトピロロピロール系顔料。フラバンスロンイエロー、アシルアミドイエロー、キノフタロンイエロー、ニッケルアゾイエロー、銅アゾメチンイエロー、ペリノンオレンジ、アンスロンオレンジ、ジアンスラキノニルレッド、ジオキサジンバイオレット等。勿論、本発明はこれらに限定されるものではない。
【００２５】
又、有機顔料をカラーインデックス（Ｃ．Ｉ．）ナンバーで示すと、例えば、以下のものを用いることができる。Ｃ．Ｉ．ピグメントイエロー：１２、１３、１４、１７、２０、２４、７４、８３、８６、９３、９７、１０９、１１０、１１７、１２０、１２５、１２８、１３７、１３８、１４７、１４８、１５０、１５１、１５３、１５４、１６６、１６８、１８０、１８５等。Ｃ．Ｉ．ピグメントオレンジ：１６、３６、４３、５１、５５、５９、６１、７１等。Ｃ．Ｉ．ピグメントレッド：９、４８、４９、５２、５３、５７、９７、１２２、１２３、１４９、１６８、１７５、１７６、１７７、１８０、１９２等。同、２１５、２１６、２１７、２２０、２２３、２２４、２２６、２２７、２２８、２３８、２４０、２５４、２５５、２７２等。Ｃ．Ｉ．ピグメントバイオレット：１９、２３、２９、３０、３７、４０、５０等。Ｃ．Ｉ．ピグメントブルー：１５、１５：１、１５：３、１５：４、１５：６、２２、６０、６４等。Ｃ．Ｉ．ピグメントグリーン：７、３６等。Ｃ．Ｉ．ピグメントブラウン：２３、２５、２６等。勿論、本発明はこれらに限定されるものではない。
【００２６】
（分散剤）
上記したような顔料を水性媒体に分散するための分散剤は、水溶性を有する樹脂であれば何れのものも用いることができる。中でも特に、分散剤の重量平均分子量が１，０００以上３０，０００以下、更には３，０００以上１５，０００以下のものが好ましい。インク中の分散剤の含有量（質量％）は、インク全質量を基準として０．１質量％以上５．０質量％以下とすることが好ましい。
【００２７】
分散剤は、具体的には、例えば、以下のものを用いることができる。スチレン、ビニルナフタレン、α，β−エチレン性不飽和カルボン酸の脂肪族アルコールエステル、アクリル酸、マレイン酸、イタコン酸、フマール酸、酢酸ビニル、ビニルピロリドン、アクリルアミド、又はこれらの誘導体等を単量体とするポリマー。尚、ポリマーを構成する単量体のうち１つ以上は親水性単量体であることが好ましく、ブロック共重合体、ランダム共重合体、グラフト共重合体、又はこれらの塩等を用いても良い。又は、ロジン、シェラック、デンプン等の天然樹脂を用いることもできる。これらの樹脂は、塩基を溶解した水溶液に可溶である、即ち、アルカリ可溶型であることが好ましい。
【００２８】
（界面活性剤）
インクセットを構成するインクの表面張力を調整するためには、アニオン性界面活性剤、ノニオン性界面活性剤、及び両性界面活性剤等の界面活性剤を用いることが好ましい。具体的には、ポリオキシエチレンアルキルエーテル、ポリオキシエチレンアルキルフェノール類、アセチレングリコール化合物、アセチレングリコールエチレンオキサイド付加物等を用いることができる。
【００２９】
（その他の成分）
インクセットを構成するインクは、前記した成分の他に、保湿性維持のために、尿素、尿素誘導体、トリメチロールプロパン、及びトリメチロールエタン等の保湿性固形分を含有してもよい。インク中の保湿性固形分の含有量（質量％）は、インク全質量を基準として０．１質量％以上２０．０質量％以下、更には３．０質量％以上１０．０質量％以下とすることが好ましい。又、インクセットを構成するインクは、前記した成分以外にも必要に応じて、ｐＨ調整剤、防錆剤、防腐剤、防黴剤、酸化防止剤、還元防止剤、及び蒸発促進剤等の種々の添加剤を含有してもよい。
【００３０】
次に、本実施例で用いるインクをより具体的に説明する。本発明はその要旨を超えない限り、下記実施例によって限定されるものではない。尚、文中「部」、及び「％」とあるのは、特に断りのない限り質量基準である。
【００３１】
［顔料分散液の調製］
たとえば以下に示す手順により、顔料分散液を調製する。尚、以下の記載において、分散剤とは、酸価２００、重量平均分子量１０，０００のスチレン−アクリル酸共重合体を、１０質量％水酸化ナトリウム水溶液で中和することにより得られた水溶液のことである。
【００３２】
＜Ｃ．Ｉ．ピグメントレッド１２２を含む顔料分散液の調製＞
顔料（Ｃ．Ｉ．ピグメントレッド１２２）１０部、分散剤２０部、イオン交換水７０部を混合し、バッチ式縦型サンドミルを用いて３時間分散する。その後、遠心分離処理によって粗大粒子を除去した。更に、ポアサイズ３．０μｍのセルロースアセテートフィルター（アドバンテック製）にて加圧ろ過し、顔料濃度が１０質量％である顔料分散液１を得る。
【００３３】
＜Ｃ．Ｉ．ピグメントブルー１５:３を含む顔料分散液の調製＞
顔料（Ｃ．Ｉ．ピグメントブルー１５:３）１０部、分散剤２０部、イオン交換水７０部を混合し、バッチ式縦型サンドミルを用いて５時間分散する。その後、遠心分離処理によって粗大粒子を除去した。更に、ポアサイズ３．０μｍのセルロースアセテートフィルター（アドバンテック製）にて加圧ろ過し、顔料濃度が１０質量％である顔料分散液２を得る。
【００３４】
＜Ｃ．Ｉ．ピグメントイエロー７４を含む顔料分散液の調製＞
顔料（Ｃ．Ｉ．ピグメントイエロー７４）１０部、分散剤２０部、イオン交換水７０部を混合し、バッチ式縦型サンドミルを用いて１時間分散する。その後、遠心分離処理によって粗大粒子を除去した。更に、ポアサイズ３．０μｍのセルロースアセテートフィルター（アドバンテック製）にて加圧ろ過し、顔料濃度が１０質量％である顔料分散液３を得る。
【００３５】
＜Ｃ．Ｉ．ピグメントブラック７を含む顔料分散液の調製＞
カーボンブラック顔料（Ｃ．Ｉ．ピグメントブラック７）１０部、分散剤２０部、イオン交換水７０部を混合し、バッチ式縦型サンドミルを用いて３時間分散する。尚、分散する際の周速は、顔料分散液１を調製する際の２倍とした。その後、遠心分離処理によって粗大粒子を除去する。更に、ポアサイズ３．０μｍのセルロースアセテートフィルター（アドバンテック製）にて加圧ろ過し、顔料濃度が１０質量％である顔料分散液４を得る。
【００３６】
＜Ｃ．Ｉ．ピグメントレッド１４９を含む顔料分散液の調製＞
顔料（Ｃ．Ｉ．ピグメントレッド１４９）１０部、分散剤２０部、イオン交換水７０部を混合し、バッチ式縦型サンドミルを用いて３時間分散する。その後、遠心分離処理によって粗大粒子を除去した。更に、ポアサイズ３．０μｍのセルロースアセテートフィルター（アドバンテック製）にて加圧ろ過し、顔料濃度が１０質量％である顔料分散液１を得る。
【００３７】
＜Ｃ．Ｉ．ピグメントグリーン７を含む顔料分散液の調製＞
顔料（Ｃ．Ｉ．ピグメントグリーン７）１０部、分散剤２０部、イオン交換水７０部を混合し、バッチ式縦型サンドミルを用いて３時間分散する。その後、遠心分離処理によって粗大粒子を除去した。更に、ポアサイズ３．０μｍのセルロースアセテートフィルター（アドバンテック製）にて加圧ろ過し、顔料濃度が１０質量％である顔料分散液１を得る。
【００３８】
（インクの調製）
上述した各成分を混合することにより、十分攪拌した後、ポアサイズ０.８μｍのセルロースアセテートフィルター（アドバンテック製）にて加圧ろ過を行う。以上のような調製を行うことにより、本実施例では、シアン（Ｃ）、マゼンタ（Ｍ）、イエロー（Ｙ）、ブラック（Ｋ）、ライトシアン（ＬＣ）、ライトマゼンタ（ＬＭ）、レッド（Ｒ）、グレー（Ｇｒａｙ）ライトグレー（ＬＧｒａｙ）の９色を得る。
【００３９】
次に、本実施例で用いる画質向上液を説明する。
【００４０】
＜画質向上液の調整＞
ラジカル開始剤を用いた溶液重合法により合成したスチレン（Ｓｔ）−アクリル酸（ＡＡ）共重合体Ａ（Ｓｔ／ＡＡ＝７０／３０（質量％）、分子量：１０５００、実測酸価：２０３）を用いて、下記組成の液体組成物Ａを作成する。なお、塩基性物質としては水酸化カリウムを用い、液体組成物のｐＨが８．０となるように添加量は調整する。
・スチレン−アクリル酸共重合体Ａ    ２部
・グリセリン                        ７部
・ジエチレングリコール              ５部
・水                              ８６部
【００４１】
上記調整により得られる画質向上液は、少なくとも光沢感を制御するための液であるが、画質向上液は上記成分によって限定されるものではない。本発明の画質向上液は、例えば上記成分を含有することにより光沢性を向上させる性質のものであっても良いが、ブロンズ抑制、耐水性、耐光性など、付与することによって画像の品質を改善することが可能な無色透明なインクであれば良い。
【００４２】
（画像処理）
次に、本実施例における上記インクを用いた画像処理工程について説明する。
【００４３】
図４は、本実施例の画像データの変換処理の工程を説明するためのブロック図である。本実施例で行われる画像処理の工程は、ホスト装置１１０と記録装置（プリンタ）２１０とによって分担される。
【００４４】
ホスト装置１１０は、例えばパーソナルコンピュータ（ＰＣ）であり、本実施例の画像処理に係る工程は、アプリケーションＪ０００１と、本実施例で使用する記録装置のためのプリンタドライバＰＤ１１とで実行される。
【００４５】
アプリケーションＪ０００１は、ホスト装置１１０のモニタおけるＵＩ画面にてユーザが指定した情報に基づいて、後述するプリンタドライバＰＤ１１に渡す画像データを作成する処理および、記録の制御を司る記録制御情報を設定する処理を実行する。
【００４６】
図５はかかる画像データ情報及び記録制御情報の構成例を示した図である。記録制御情報は、「記録媒体情報」、「記録品位情報」、および給紙方法等のような「その他制御情報」から構成されている。記録媒体情報には、記録の対象となる記録媒体の種類が記述されており、普通紙、光沢紙、コート紙、はがき、プリンタブルディスクなどのうち、いずれか１種類の記録媒体が規定されている。記録品位情報には、記録の品位が記述されており、「きれい」、「標準」、「はやい」等のうち、いずれか１種の品位が規定されている。アプリケーションで処理されたこれらの画像データ及び記録制御情報は、記録の際にプリンタドライバＰＤに渡される。
【００４７】
再度図４を参照するに、プリンタドライバＰＤはその処理として、前段処理Ｊ０００２、後段処理Ｊ０００３、γ補正Ｊ０００４、量子化部Ｊ０００５、および印刷データ作成Ｊ０００６を有する。以下に、各処理を簡単に説明する。
【００４８】
前段処理Ｊ０００２は色域（Ｇａｍｕｔ）のマッピングを行う。この処理は、ｓＲＧＢ規格の画像データ（Ｒ、Ｇ、Ｂ）によって再現される色域を、プリンタによって再現される色域内に写像するためのデータ変換を行う。具体的には、Ｒ、Ｇ、Ｂのそれぞれが８ビットで表現された２５６階調のデータを、３次元のＬＵＴ（ルックアップテーブル）を用いることにより、色域が異なるそれぞれ８ビットのＲ´、Ｇ´、Ｂ´データに変換する。
【００４９】
後段処理Ｊ０００３は、後段処理用の３次元ＬＵＴに基づいて、上記色域のマッピングがなされたＲ、Ｇ、Ｂデータを、このデータが表す色を再現するインクの組み合わせであるそれぞれ８ビットの色分解データに変換する。具体的には、Ｒ´Ｇ´Ｂ´のそれぞれが８ビットで表現された２５６階調のデータを、３次元のＬＵＴ（ルックアップテーブル）を用いることにより、Ｃ、Ｍ、Ｙ、Ｋ、Ｌｃ、Ｌｍ、Ｒ、Ｇ、Ｇｒａｙに変換する。尚、本実施例の後段処理Ｊ０００３では、上記インクの組み合わせにおいて所望の光沢度を再現するための、画質向上液の８ビットの色分解データＣＬも生成する。
【００５０】
γ補正Ｊ０００４は、後段処理Ｊ０００３によって求められた各色の色分解データについて、その濃度値（階調値）の変換を行う。具体的には、１次元ＬＵＴを用い上記色分解データをプリンタの階調特性に線形的に対応づけられるような変換を行う。
【００５１】
量子化部Ｊ０００５は、γ補正がなされた各色８ビットの色分解データのそれぞれについて、５ビットのデータに変換する量子化処理を行う。本実施例では、誤差拡散法を用いて２５６階調の８ビットデータを１７階調の５ビットデータに変換する。この５ビット記録画像データは、後述するドット配置のパターン化処理におけるドット配置パターンを示すためのインデックスとなるデータである。尚、この各色１７階調に量子化されたデータは、レベル０〜１６のいずれかの階調を示す階調値情報である。
【００５２】
印刷データ作成処理Ｊ０００６は、上述した記録制御情報と量子化部Ｊ０００５で作成された５ビットの画像データを組み合わせ、記録装置２１０に転送する印刷データを完成させる。以上のようにして生成された印刷データは、記録装置２１０へ供給される。
【００５３】
記録装置２１０は、ホスト装置１１０より印刷データを受信すると、印刷データに含まれる各色５ビットの画像データに対して、ドット配置パターン化処理Ｊ０００７およびマスク処理Ｊ０００８を行う。
【００５４】
ドット配置パターン化処理Ｊ０００７では、入力された１７値の階調値情報をドット配置パターンに変換して２値化処理を行う。これにより、記録装置が記録可能な解像度に対応した各画素に対してインクを吐出するか否かの２値データ（２ｂｉｔ）を得ることができる。
【００５５】
図６は、本実施例で用いる１７階調のドット配置パターンを説明するための図である。ドット配置パターン化処理Ｊ０００７では、例えば３００ｄｐｉで表される１７値の階調データ（レベル０〜レベル１６）を１２００ｄｐｉで表される２値データに変換する。３００ｄｐｉの１画素は１２００ｄｐｉの４×４画素に相当し、３００ｄｐｉの１７値の階調データは、１２００ｄｐｉの各画素の記録（１）と非記録（０）の組み合わせに変換される。図において、黒丸を示した画素（１２００ｄｐｉ）がドット記録する画素（１）、空欄の画素がドットを記録しない画素（０）をそれぞれ示している。
【００５６】
続くマスク処理Ｊ０００８では、互いに補完の関係にある複数のマスクパターンを用いることにより、ドット配置パターン化処理Ｊ０００７によりドットの記録が決定された画素への記録を、複数の記録走査に分配する。マスク処理により、Ｃ、Ｍ、Ｙ、Ｋ、Ｌｃ、Ｌｍ、Ｒ、Ｇｒａｙ、ＬＧｒａｙ、ＣＬの各色の２値データは、マルチパス数に対応する複数の２値データに変換される。このマスク処理については、後に詳しく説明する。
【００５７】
マスク処理後の２値データは、適切なタイミングでヘッド駆動回路Ｊ０００９に供給され、記録ヘッド１の駆動パルスに変換された後、各色の記録ヘッド１から所定のタイミングでインクが吐出される。
【００５８】
以下、一般的なマルチパス記録について説明する。マルチパス記録とは、記録媒体の単位領域に含まれる画像データを、記録ヘッドの複数回の記録走査によって記録する記録方法である。
【００５９】
図７は、マルチパス記録を模式的に説明するための図である。本実施例用いられる記録ヘッド１は、実際には７６８個のノズルを有するが、ここででは簡単のため、１６個のノズルを有する記録ヘッドＰ０００１を用い、４回の記録走査で画像を完成させる４パスのマルチパス記録について説明する。この場合、１６個のノズルは、４つずつのノズルが含まれる第１〜第４のノズル群に分割して考えることが出来る。
【００６０】
マスクパターンＰ０００２（ａ〜ｄ）は、第１〜第４のノズル群に夫々宛がわれるマスクパターンを示しており、黒塗りのエリアはドットの記録を許容する記録許容画素、白塗りエリアはドットの記録を許容しない記録非許容画素をそれぞれ示している。各ノズルが記録すべき記録データは、記録走査のたびにマスクパターンとの間で論理積演算が行われ、各記録走査で記録が許容された画素に対してのみインクが吐出される。マスクパターンＰ０００２（ａ）〜Ｐ０００２（ｄ）は互いに補完の関係にあり、これら４つのマスクパターンを重ねあわせると、４×４画素＝１６画素に対応した領域の記録が完成される構成となっている。
【００６１】
Ｐ０００３〜Ｐ０００６で示した各パターンは、記録走査を重ねることによって画像が完成されていく様子を示したものである。各記録走査が終了する度、記録媒体は図の矢印の方向にノズル群の幅分ずつ（本図では４ノズル分ずつ）搬送される。このような搬送動作と、マスクパターンに応じた記録走査を繰り返すことにより、記録媒体の単位領域（各ノズル群の幅に相当する領域）は４回の記録走査によって画像が完成される。
【００６２】
図７では、Ｐ０００２（ａ）〜（ｄ）のいずれのマスクパターンも、１６×１６画素のうち４画素が記録許容画素となっている。このように、各ノズル群の一回の走査で記録が可能な画素のうち、マスクパターンによって記録が許容される画素の割合を、本明細書では記録許容率（％）と定義する。すなわち、図７の場合、各ノズル群の記録許容率は２５％となる。
【００６３】
（光沢度と写像性の評価方法）
本明細書において、光沢の改善とは、後述する光沢度と、または写像性の値を所望の値に近づけることを示す。以下、本実施例における画像内の光沢均一性を評価するための基準となる記録媒体表面の光沢度と写像性について説明する。一般に、記録媒体や画像の光沢感を評価する指標には光沢度と写像性があり、写像性は光沢度とヘイズによって決まる。
【００６４】
図８（ａ）〜（ｄ）は、光沢度とヘイズの測定方法を説明する図である。図８（ａ）は、凹凸の少ない鏡面に対し２０°の入射角で突入した光の反射光を検出する様子を示している。検出器（例えば、ＢＹＫ−Ｇａｒｄｎｅｒ社製のＢ−４６３２（日本名；マイクロ−ヘイズ  プラス））を、その受信部の中心が鏡面に対し２０°の正反射の位置に一致するように配置し、所定の開口幅で反射光の強度分布を測定する。図８（ｄ）は、検出器によってこの様に検出した反射光の強度分布を示した図である。一般に反射光には正反射光とその周りに分布する乱反射光とが含まれており、２０°の反射角で進行する正反射光は検出器中心の開口幅１．８°で検出され、その外側に位置する乱反射光は更に±２．７°まで範囲を広げた開口幅で検出される。このような検出結果から、光沢度は、入射光に対する正反射光（開口幅１．８°内の強度）の反射率として求められる。また、ヘイズは、開口幅１．８°より外側で±２．７°まで範囲を広げた開口幅での反射率として求められる。本例において、光沢度はＪＩＳ規格のＫ５６００に、ヘイズはＩＳＯ規格のＤＩＳ１３８０３に準拠して測定されるものとする。
【００６５】
写像性は上記測定した光沢度とヘイズから、写像性＝（光沢度―ヘイズ）／（光沢度＋ヘイズ）によって求められ、記録媒体に映る像の鮮明さを表す。図８（ａ）のように凹凸の少ない平滑な鏡面では、ヘイズに対する光沢度の割合が高く、すなわち写像性が高く、鮮明な像が写る。一方、図８（ｂ）や（ｃ）のように凹凸が多い面では、ヘイズに対する光沢度の割合が低く、すなわち写像性が低く、記録媒体に映る像はぼやける。上記検出器によって得られる光沢度、ヘイズおよび写像性の単位は無次元で、いずれも、０〜１の間の値を取りうる。
【００６６】
（光沢度と写像性の関係）
有色インクを用いて記録媒体に画像を記録した場合、記録媒体表面の凹凸の状態は、有色インクの量によって異なる。すなわち、記録画像表面の光沢度や写像性は画像の階調によって異なる。
【００６７】
図９は、写像性と光沢度が階調すなわち有色インクの量に応じて変化する様子を説明するための図である。本実施例では、目標とすべき写像性および光沢度を予め設定しており、図９では、この目標値より低い測定結果が得られる場合に「低」、高い測定結果が得られる場合に「高」、目標値程度の測定結果が得られる場合に「中」と示している。
【００６８】
低濃度部では、白紙領域が多く紙面表面が露出しているので、正反射量が少なく光沢度は低い。但し、ヘイズも少ないので写像性は高くなっている。中濃度部では、有色インクが紙面表面をほぼ一様に被覆するので、ヘイズが高くなることなく正反射量が多くなる。結果、光沢度も写像性も高い。更に、高濃度部では、多くの有色インクが互いに重なり合いながら紙面表面を被覆するので、正反射量も多いがヘイズも高い。よって、光沢度は高いが写像性は中濃度部よりは低くなる。
【００６９】
このように、光沢度や写像性は画像の階調によって異なり、本発明は、同じ画像内で光沢度や写像性が高い領域や低い領域が混在していることを問題としている。つまり、本発明は、光沢度や写像性が高い画像を得ることを目的としておらず、いずれの階調においても、写像性と光沢度を共に「中」程度に収束させることを目標とする。そのために、以下の実施例では、透明な画質向上液を、光沢度および写像性を共に「中」程度に調整するための手段として利用する。
【００７０】
図１０（ａ）〜（ｃ）は、有色インクと画質向上液の記録あるいは記録する順番が記録媒体表面の平滑性に影響を与える様子を説明するための図である。図１０（ａ）は、有色インクのみ記録し画質向上液を記録しない場合の記録状態を示している。この場合の光沢度および写像性は、図９に示したようにその階調によって変化する。
【００７１】
図１０（ｂ）は、有色インクと画質向上液の記録の順番を一定にせずに記録を行った場合の記録状態を示している。一般に、画質向上液が直接記録媒体に付与された場合と、有色インクの層が形成された上に画質向上液が付与される場合とでは、画質向上液の浸透状態が異なり、記録後に記録媒体上に形成される層の厚みが異なる。よって、有色インクと画質向上液の記録順序を一定にせずに記録を行った場合には、有色インクの後に画質向上液が付与される箇所と、画質向上液の後に有色インクが付与される箇所が混在し、図１０（ｂ）のような凹凸が現れる。そして、この様な凹凸は、インクが多く付与される高階調領域でより顕著になる。以下、この様な有色インクを記録してから画質向上液を記録する箇所と画質向上液を記録してから有色インを記録する箇所を、混在させながら記録する方法を、混在打ち記録と称する。
【００７２】
混在打ち記録を行うと、低濃度部では、画質向上液を追加した分だけ白紙の露出領域が減り、正反射光量すなわち光沢度は上がる。その一方、凹凸によってヘイズも増えるので、写像性は低下する。よって、低濃度部に対し混在打ち記録を行うと、「低」および「高」であった光沢度および写像性を、共に「中」程度にすることが出来る（作用ａ）。
【００７３】
中濃度部で混在打ち記録を行うと、有色インクのみで記録した図１０（ａ）の場合に比べて、図１０（ｂ）のように凹凸が増加して、光沢度と写像性が共に低下する。よって、共に「高」であった光沢度および写像性を、共に「中」程度にすることが出来る（作用ｂ）。更に、高濃度部で混在打ち記録を行うと、凹凸は益々大きくなり、光沢度および写像性を、共に更に下げる結果となる。
【００７４】
一方、図１０（ｃ）は、有色インクを記録してから画質向上液を記録した場合の記録状態を示している。有色インクを記録してから画質向上液を記録した場合、ある程度定着した有色インク層の上に、画質向上液による一様な厚みの層が形成されるので、記録媒体の表面は、図１０（ｃ）のようにほぼ平滑になり、混在打ち記録のような凹凸は形成されない。以下、この様な有色インクを記録してから画質向上液を記録する順番を守りながら記録する方法を、本明細書では後打ち記録と称する。このような後打ち記録では、濃度が上がるに連れて平滑な層の領域が広がっていくので、ヘイズを変化させることなく正反射量を調整することが出来る。
【００７５】
この場合、低濃度部では、画質向上液を追加した分だけ白紙の露出領域が減り、光沢度は上昇する。但し、ヘイズは低いままであるので、写像性も高いままである。中濃度部では、有色インクのみの記録で光沢度は高く、ここに画質向上液の後打ち記録を行うと、画質向上液の層は光沢度を低減するように作用する。但し、図１０（ｂ）のような凹凸は形成されないので、混在打ち記録に比べて光沢度の低下度は少なく、写像性については低下しない。すなわち、低中濃度部に対し後打ち記録を行っても、光沢性と写像性を共に「中」程度にすることは出来ない。
【００７６】
一方、高濃度部では、画質向上液の後打ち記録によって形成された層が、光沢度を適量に低減するように作用するとともに、元々「中」程度である写像性を変化させることもない。よって、高濃度部に対し後打ち記録を行うと、光沢性と写像性を共に「中」程度にすることが出来る（作用ｃ）。
【００７７】
以上の状況を踏まえ、本実施例では、低濃度部および中濃度部に対しては作用ａおよびｂを得るために混在打ち記録を行い、高濃度部に対しては作用ｃを得るために後打ち記録を行う。これにより、全濃度領域における光沢度および写像性を、共に「中」程度に調整する。
【００７８】
図１１は、本実施例で使用する記録ヘッド１を吐出口表面から観察した場合の、吐出口列の配列状態を示す図である。本実施例の記録ヘッド１は、５列の吐出列が並列された記録素子基板１と６列の吐出口列が並列された記録素子基板２とが、図のように配置されて構成されている。主走査方向の両側に位置するノズル列Ｎ１およびノズル列Ｎ１１は、画質向上液を吐出するノズル列である。これら２つのノズル列の間に配置されたノズル列Ｎ２〜Ｎ１０は、上述した９色の有色インクを吐出するノズル列である。
【００７９】
本実施例では、このような記録ヘッド１を主走査方向に往復に移動させながら、記録媒体に画像を記録する。この際、画質向上液を吐出するノズル列Ｎ１およびＮ１１の吐出制御によって、有色インクの前に画質向上液を記録したり、有色インクの後に画質向上液を記録したり、すなわち混在打ち記録と後打ち記録を切り替えることが出来る。そのような切り替えを実現するため、本実施例ではマスクパターンを利用する。具体的には、各濃度領域（記録デューティ）に応じて混在打ち記録と後打ち記録を切り替えるため、３００ｄｐｉの各画素の階調レベルに応じて、その画素に対し各記録走査で使用するマスクパターンを選択する。
【００８０】
図１２は、本実施例において、コントローラ１００が実行するマスクパターンの選択処理を説明するためのフローチャートである。本処理は、図４で示したマスク処理Ｊ０００８で実行される。
【００８１】
本処理が開始されると、コントローラ１００は、まずドット配置パターン化処理Ｊ０００７が出力した２値の画像データを３００ｄｐｉの画素毎に受信する（ステップＳ１）。ここで受信する２値データは、３００ｄｐｉの各画素について１２００ｄｐｉの４×４画素で構成される図６で示したレベル０〜レベル１６の何れかに相当する。
【００８２】
続くステップＳ２で、コントローラ１００は、画像データの各色のレベル情報から、当該画素すなわち所定領域に対する総記録デューティを算出する。ここで、あるインク色の記録デューティとは、１２００ｄｐｉの４画素×４画素の各画素のうち、そのインク色が記録（１）と定められた画素の割合を示す。具体的には、レベル０の画素の記録デューティは０％、レベル８の記録デューティは５０％、レベル１６の記録デューティは１００％となる。そして、総記録デューティとは、全インク色における記録デューティの和に相当する。
【００８３】
続くステップＳ３において、コントローラ１００は、ステップＳ２で得られた総記録デューティに応じたマスクパターンを選択する。この時選択されるマスクパターンは、図１３に示した表を満足するようなマスクパターンとなっている。すなわち、総記録デューティが０％〜１５％に相当する低濃度部および総記録デューティが１５％〜５０％に相当する中濃度部では、混在打ち記録が実現されるようなマスクパターンが選択され、ステップＳ４にてマスクパターンＡが設定される。また、総記録デューティが５０％以上に相当する高濃度部では、後打ち記録が実現されるようなマスクパターンが選択され、ステップＳ５にてマスクパターンＢが設定される。
【００８４】
図１４（ａ）〜（ｃ）は、１パスの双方向記録を行う際に、ステップＳ５で設定される、後打ち記録を実現するマスクパターンＢを説明するための図である。図１４（ａ）は往路方向で使用するマスクパターン、同図（ｂ）は復路方向で使用するマスクパターンを示している。図７では、４×４画素領域を単位とするマスクパターンを用いて説明したが、ここでは、簡単のため、主走査方向に４画素、副走査方向に１画素を有する領域を単位とするマスクパターンを用いる。各図において、Ｍ１は画質向上液を吐出するノズル列Ｎ１が使用するマスクパターン、Ｍ２は有色インクを吐出する吐出口列Ｎ２〜Ｍ１０が使用するマスクパターン、Ｍ３は画質向上液を吐出するノズル列Ｎ１１が使用するマスクパターンを示している。
【００８５】
１パス記録では、有色インクにおいて、図７に示したようなデータの間引き処理は行われない。よって、往路走査でも復路走査でも、使用するマスクパターンＭ２の記録許容率は１００％になっている。図では、黒で示した画素が記録を許容した画素を示している。これに対し、画質向上液を吐出するノズル列Ｎ１およびＮ１１については、有色インクよりも先に記録する走査での記録許容率を０％、有色インクよりも後に記録する走査での記録許容率を１００％としている。つまり、往路走査図１４（ａ）では、有色インクよりも先に記録するノズル列Ｎ１１のマスクパターンＭ３の記録許容率は０％であり、有色インクよりも後に記録するノズル列Ｎ１のマスクパターンＭ１の記録許容率は１００％になっている。また、復路走査図１４（ｂ）では、有色インクよりも先に記録するノズル列Ｎ１のマスクパターンＭ１の記録許容率は０％であり、有色インクよりも後に記録するノズル列Ｎ１１のマスクパターンＭ３の記録許容率は１００％になっている。これにより、記録媒体上では、図１４（ｃ）に示すように、いずれの画素においても、有色インクが記録された上に画質向上液が記録される状態となる。すなわち、図１４（ａ）および（ｂ）に示すマスクパターンＢを使用することにより、後打ち記録を実現することが出来る。
【００８６】
これに対し、図１５（ａ）〜（ｃ）は、１パスの双方向記録を行う際に、ステップＳ４で設定される、混在打ち記録を実現するマスクパターンＡを説明するための図である。混在打ち記録でも、有色インク用のマスクパターンＭ２では、往路走査でも復路走査の記録許容率は１００％になっている。これに対し、画質向上液を吐出するノズル列Ｎ１およびＮ１１については、往路走査および復路走査のいずれにおいても、互いに補完関係にある記録許容率が５０％ずつのマスクＭ１およびＭ３を使用している。つまり、図１５（ａ）に示す往路走査でも同図（ｂ）に示す復路走査でも、ノズル列Ｎ１が使用するマスクパターンＭ１およびノズル列Ｎ１１が使用するマスクパターンＭ３の記録許容率は５０％であり、これらＭ１およびＭ３は互いに補完関係を有している。そして、このようなマスクパターンを使用して記録した記録媒体上では、図１５（ｃ）に示すように、有色インクが記録された上に画質向上液が記録される画素と、画質向上液が記録された上に有色インクが記録される画素とが、混在する状態となる。すなわち、図１５（ａ）および（ｂ）に示したマスクパターンＡを使用することにより、１パス双方向記録で混在打ち記録を実現することが出来る。
【００８７】
再び、図１２のフローチャートに戻る。ステップＳ４あるいはステップＳ５でマスクパターンＡあるいはＢが設定されると、ステップＳ６にてコントローラ１００は、ステップＳ１で受信した２値データに対し、設定されたマスクパターンとの間で論理積を取る。そして、各走査におけるノズル列Ｎ１〜１１それぞれの記録データ（吐出データ）を生成し、ヘッド駆動回路Ｊ０００９に出力する。以上で本処理が終了する。
【００８８】
以上の処理が行われた後、ヘッド駆動回路Ｊ０００９に入力された記録データは、個々のノズル列Ｎ１〜Ｎ１１の吐出口列によって吐出が行われる。その結果、各画素の総記録デューティに見合った記録方法で有色インクおよび画質向上液が記録媒体に付与され、全濃度領域における光沢度および写像性が共に「中」程度に調整された画像を得ることが出来る。
【００８９】
以上は、マスクパターンを利用した１パス双方向における混在打ち記録と後打ち記録の切り替え方法について説明したが、上記方法は２パス以上の双方向マルチパス記録にも応用することが出来る。
【００９０】
図１６（ａ）および（ｂ）は、２パス双方向を実行する際に、ステップＳ５で設定される後打ち記録を実現するマスクパターンＢを説明するための図である。図１６（ａ）は往路走査で使用するマスクパターン（上段）と復路走査で使用するマスクパターン（下段）を、画質向上液を吐出するノズル列Ｎ１、Ｎ２および有色インクを吐出するノズル列Ｎ２〜１０、のそれぞれについて示している。有色インクを吐出するノズル列Ｎ２〜１０については、２パスのマルチパス記録を行うため、記録許容率が５０％のマスクパターンＭ２が用意されている。マスクパターンＭ２において、往路走査で使用するマスクパターン（上段）と、復路走査で使用するマスクパターン（下段）は、互いに補完の関係を有している。画質向上液を吐出するノズル列Ｎ１およびＮ１１については、有色インクよりも先に記録する走査での記録許容率を０％、有色インクよりも後に記録する走査での記録許容率を５０％としている。
【００９１】
具体的には、往路走査では、有色インクよりも先に記録するノズル列Ｎ１１のマスクパターンＭ３の記録許容率は０％であり、有色インクよりも後に記録するノズル列Ｎ１のマスクパターンＭ１の記録許容率は５０％になっている。この時、往路走査のマスクパターンＭ１とＭ２は等しく、有色インクが記録された画素に対してのみ、同じ走査で画質向上液が有色インクよりも後から記録される構成となっている。また、復路走査では、有色インクよりも先に記録するノズル列Ｎ１のマスクパターンＭ１の記録許容率は０％であり、有色インクよりも後に記録するノズル列Ｎ１１のマスクパターンＭ３の記録許容率は５０％になっている。復路走査においても、マスクパターンＭ２とＭ３は等しく、有色インクが記録された画素に対してのみ、同じ走査で画質向上液が有色インクよりも後から記録される構成となっている。これにより、記録媒体上では、図１６（ｂ）に示すように、いずれの画素においても、有色インクが記録された上に画質向上液が記録される状態となる。
【００９２】
一方、図１７（ａ）および（ｂ）は、２パス双方向を実行する際に、ステップＳ５で設定される混在打ち記録を実現するマスクパターンＡを図１６と同様に説明するための図である。混在打ち記録でも、有色インクを吐出するノズル列Ｎ２〜１０については、２パスのマルチパス記録を行うため、図１６（ａ）と等しく記録許容率が５０％のマスクパターンＭ２が用意されている。一方、画質向上液を吐出するノズル列Ｎ１およびＮ１１については、有色インクよりも先に記録する走査での記録許容率を２５％、有色インクよりも後に記録する走査での記録許容率を２５％としたマスクＭ１およびＭ３を使用している。マスクＭ１、Ｍ３のいずれも、有色インクのマスクパターンＭ２の記録許容画素のうち、半数の画素について記録が許容されている。すなわち、有色インクが記録される画素のうち、半数の画素は有色インクよりも前に画質向上液が記録され、残りの半数の画素は有色インクよりも後に画質向上液が記録される。以上のような関係は復路走査においても同様である。そして、このようなマスクパターンを使用して記録した記録媒体上では、図１７（ｂ）に示すように、有色インクが記録された上に画質向上液が記録される画素と、画質向上液が記録された上に有色インクが記録される画素とが、混在する状態となる。すなわち、図１７（ａ）に示したマスクパターンＡを使用することにより、２パス双方向記録で混在打ち記録を実現することが出来る。
【００９３】
このように、本実施例においては、１パス双方向記録であっても、２パス双方向記録であっても、各記録走査のたびに各画素の記録デューティに対応づけて、混在打ち記録と後打ち記録を切り替えることが出来る。これにより、全濃度領域において、光沢度および写像性が共に「中」程度に調整された、光沢性および写像性にむらのない均一な画像を記録することが可能となる。
【００９４】
なお、以上の説明では、使用する全ての有色インクで混在打ち記録と後打ち記録を切り替える構成としたが、例えば写像性と光沢度の問題が現れるインクが限られている場合には、図３に示すような記録ヘッドを用いてもよい。この場合、画質向上液を吐出するノズル列Ｎ１およびＮ６に挟まれているノズル列Ｎ２〜Ｎ５から吐出される有色インクについては、上述したような制御を行うことが出来る。その一方、ノズル列Ｎ７〜Ｎ１１から吐出される有色インクについては、上記制御の対象とはらない。
【００９５】
また、図１４〜図１７で説明したマスクパターンの例では、有色インクについても画質向上液についても、完全に補完関係を有するマスクパターンを用意したが、本発明及び本実施例の効果は、このようなマスクパターンに限定されるものではない。複数のマスクパターンの重ね合わせの結果が１００％より大きくても１００％よりも小さくても、混在打ち記録と後打ち記録の規則が維持されていれば、上記実施例の効果を得ることは出来る。
【００９６】
［実施例２］
本実施例でも図１（ａ）および（ｂ）で示したインクジェット記録装置と、図１１で示した記録ヘッドを使用する。また、本実施例においても図１２に示したフローチャートに従って、マスクパターンの選択処理を実行する。但し、本実施例では、各画素に対する総記録デューティのみでなく、その画素に記録されるインク色の数（すなわち、１次色か、２次色か、３次色以上か）によっても、混在打ち記録にするか後打ち記録にするかを異ならせる。このようにするのは、画素に記録されるインク色の数が多いほど、写像性が低くなる傾向があるからである。
【００９７】
図１８は、本実施例における、総記録デューティとインク数の組み合わせに対する、混在打ち記録あるいは後打ち記録の設定を示す図である。１次色については、記録デューティが０〜７５％未満で混在打ち記録を行い、７５％以上で後打ち記録を行う。２次色では、１次色の場合よりも低い階調から写像性が「中」程度になるので、記録デューティが０〜５０％未満で混在打ち記録を行い、５０％以上で後打ち記録を行う。３次色以上では、２次色の場合よりも更に低い階調から写像性が「中」程度になるので、記録デューティが１５％未満で混在打ち記録を行い、１５％以上で後打ち記録を行う。
【００９８】
すなわち、本実施例のコントローラ１００は、図１２のステップＳ３において、ステップＳ２で得られた総記録デューティと、注目画素への記録が１次色か、２次色かあるいは３次色以上かに応じて、マスクパターンＡ或いはマスクパターンＢを選択する。
【００９９】
このように、本実施例においては、各記録走査のたびに各画素の総記録デューティおよび注目画素に記録を行うインクの数に対応づけて、混在打ち記録と後打ち記録を切り替える。これにより、全色再現領域の全濃度領域において、光沢度および写像性が共に「中」程度に調整された、光沢性および写像性にむらのない均一な画像を記録することが可能となる。
【０１００】
［実施例３］
本実施例でも図１（ａ）および（ｂ）で示したインクジェット記録装置と、図１１で示した記録ヘッドを使用する。また、本実施例においても図１２に示したフローチャートに従って、マスクパターンの選択処理を実行する。但し、本実施例では、各画素に対する総記録デューティでなく、その画素に記録される各インク色の記録デューティの組み合わせによって、混在打ち記録にするか後打ち記録にするかを決定する。このような方法は、写像性や光沢性の傾向がインク色によって異なる場合に有効である。
【０１０１】
図１９は、本実施例における、シアンの記録デューティとマゼンタの記録デューティの組み合わせに対する、混在打ち記録あるいは後打ち記録の設定例を示す図である。本実施例のコントローラ１００は、図１２のステップＳ３において、ステップＳ２で得られた各インク色の記録デューティの組み合わせから、図１９に示す表を満足するように、マスクパターンＡ或いはマスクパターンＢを選択する。このような構成を有していれば、同じ総記録デューティであっても、シアンの記録デューティとマゼンタの記録デューティのバランスに応じて、混在打ち記録か後打ち記録かを異ならせることが出来る。
【０１０２】
なお、ここでは説明を簡単にするため、シアンおよびマゼンタの２色のインクの記録デューティによって、混在打ち記録にするか後打ち記録にするかを設定する内容で説明したが、本実施例の記録装置は９色の有色インクを備えている。従って、実際には、９色インクの全ての組み合わせによって、混在打ち記録か後打ち記録かを設定する構成が最も好ましい。しかしながら、特に写像性や光沢度に影響を与える特定のインクが存在する場合は、これらインクの記録デューティの組み合わせによって、混在打ち記録か後打ち記録かを設定してもよい。
【０１０３】
以上説明したように、本実施例においては、各記録走査のたびに各画素の各色の記録デューティの組み合わせに応じて、混在打ち記録と後打ち記録を切り替える。これにより、全色再現領域の全濃度領域において、光沢度および写像性が共に「中」程度に調整された、光沢性および写像性にむらのない均一な画像を記録することが可能となる。
【０１０４】
［実施例４］
本実施例でも図１（ａ）および（ｂ）で示したインクジェット記録装置と、図１１で示した記録ヘッドを使用する。また、本実施例においても図１２に示したフローチャートに従って、マスクパターンの選択処理を実行する。実施例３では、各インク色の記録デューティの組み合わせによって、混在打ち記録にするか後打ち記録にするかを決定したが、本実施例では各画素が表現する色相と明度によって、混在打ち記録にするか後打ち記録にするかを決定する。このような方法は、写像性や光沢性の傾向が色相や明度によって異なる場合に有効である。
【０１０５】
図２０（ａ）は、色空間における色相の配置関係を示す図である。このように全ての色相は、基本の３色（シアン、マゼンタ、イエロー）とこれらのバランスによって１２色の色相に分類することが出来る。本実施例において、各画素の色相（ａ*ｂ*）と明度Ｌ*は、図１２のステップステップＳ２で得られた各インク色の記録デューティの組み合わせから判断することが出来る。よって、コントローラ１００は、ステップＳ２で得られた各インク色の記録デューティの組み合わせから、各画素の色相が図２０で示したいずれの色相に含まれるかを判断する。そして、各画素の明度Ｌ*を図２０（ｂ）に示した色相ごとに定められている閾値ＴＬ*と比較する。一般に、総記録デューティは明度が低いほど高くなるので、その画素の明度が閾値よりも高ければマスクパターンＡを、閾値よりも低ければマスクパターンＢを選択すれば、色相および明度に応じて混在打ち記録と後打ち記録を切り替えることが出来る。
【０１０６】
以上説明したように、本実施例においては、各記録走査のたびに各画素の各色の色相と明度に応じて、混在打ち記録と後打ち記録を切り替える。これにより、全色再現領域の全濃度領域において、光沢度および写像性が共に「中」程度に調整された、光沢性および写像性にむらのない均一な画像を記録することが可能となる。
【０１０７】
なお、以上では、図２０（ａ）のように色相を１２種類に分割した例で説明したが、より多くの種類、或いはより少ない種類に分類する場合であっても、本実施例の効果を発揮することはできる。
【０１０８】
［実施例５］
本実施例でも図１（ａ）および（ｂ）で示したインクジェット記録装置と、図１１で示した記録ヘッドを使用する。但し、本実施例では、ドット配置パターン化処理Ｊ０００７から受信した２値データでなく、色変換前のＲＧＢデータに基づいてマスクパターンを選択する。
【０１０９】
図２１は、本実施例の画像データの変換処理の工程を説明するためのブロック図である。図４と比較するに、本実施例ではＲＧＢデータから有色インク用の多値データへの変換処理を行う後段・マスク選択処理Ｊ０００３において、選択するマスクを指定するためのマスク選択情報ＭＤを生成する。このマスク選択情報ＭＤは、ホスト装置１１０から記録装置２１０に送信され、マスク処理Ｊ０００８ではこのマスク選択情報ＭＤで指定されたマスクパターンが使用される。
【０１１０】
図２２（ａ）〜（ｃ）は、本実施例の後段・マスク選択処理Ｊ０００３において、入力されたＲＧＢデータからマスク選択情報を生成する方法を示す図である。図２２（ａ）は、色変換処理に入力されるＲＧＢデータによって構成される色空間を示しており、各色のデータは０〜２５５の値を取りうる。（Ｒ、Ｇ、Ｂ）＝（０，０，０）が最も明度の低いブラック（Ｋ）、（Ｒ、Ｇ、Ｂ）＝（２５５，２５５，２５５）が最も明度の高いホワイト（Ｗ）を示す。色変換処理では、（Ｒ、Ｇ、Ｂ）の組み合わせから記録に使用する９色の有色インク（Ｃ，Ｍ，Ｙ，Ｋ，Ｌｃ，Ｌｍ，Ｒ，Ｇｒａｙ，ＬＧｒａｙ）の信号値が一義的に決まるような３次元のルックアップテーブルが用意されている。
【０１１１】
図２２（ｂ）は、上記色空間において、混在打ち記録を行うためにマスクパターンＡを指定する領域と、後打ち記録を行うためにマスクパターンＢを指定する領域とを、区別して示す図である。後打ち記録を行うためにマスクパターンＢが指定されるのは、より明度が低く総記録デューティが高い領域であり、図ではこの領域を斜線で示している。そして、残りの白い領域については、混在打ち記録を行うためにマスクパターンＡが指定される。すなわち、ホスト装置１１０は、各画素のＲＧＢデータから、マスクパターンＡ或いはマスクパターンＢを設定するマスク選択情報ＭＤを生成し、これを記録装置２１０へ送信する。
【０１１２】
記録装置２１０のコントローラ１００は、ドット配置パターン化処理Ｊ０００７より得た２値データに対し、マスク選択情報ＭＤに従ったマスクパターン（即ちマスクパターンＡ或いはマスクパターンＢ）との間で論理積演算を行い、吐出データを生成する。
【０１１３】
このように、本実施例においては、各記録走査のたびに各画素のＲＧＢデータに対応づけて、混在打ち記録と後打ち記録を切り替える。これにより、全色再現領域の全濃度領域において、光沢度および写像性が共に「中」程度に調整された、光沢性および写像性にむらのない均一な画像を記録することが可能となる。
【０１１４】
なお、色空間において、マスクパターンＡを指定する領域とマスクパターンＢを指定する領域との区別は、図２２（ｂ）のような状態に限定されない。光沢度や写像性はインク色の種類によっても影響を受けるし、特に明度の低い（Ｋに近い）領域は、複数のインクを多量に混在させることなくブラックインクのみで表現する場合もあり、必ずしも明度の低い領域で後打ち記録が好適であるとは限らない。このような場合には、マスクパターンＡを指定する領域とマスクパターンＢを指定する領域を、例えば図２２（ｃ）のように区別してもよい。いずれにしても、ＲＧＢデータから使用するマスクパターンが指定されるような構成であれば、本実施例の効果を得ることは出来る。
【０１１５】
［実施例６］
以上の実施例では、特徴的なマスクパターンを使用することによって、混在打ち記録と後打ち記録を切り替えたが、本実施例では使用する記録ヘッドにおけるノズル列の位置を利用することによって、混在打ち記録と後打ち記録を切り替える。
【０１１６】
図２３は、本実施例で使用する記録ヘッド１の例である。ここでは簡単のため、有色インクはＣ、Ｍ、Ｙ、Ｋの４色とし、これらはノズル列Ｎ２〜Ｎ５によって吐出される。一方、Ｎ１は画質向上液を吐出するノズル列である。本実施例では、画質向上液を吐出するノズル列は１列のみであるが、このノズル列Ｎ１は、有色インクを吐出するノズル列Ｎ２〜Ｎ５の約２倍の吐出口を備え、副走査方向に長いノズル列となっている。本実施例では、このようなノズル列Ｎ１のうち、Ｎ２〜Ｎ５と副走査方向に同じ位置にある領域のノズルを混在打ち記録に用いる。そして、残りのノズル列、すなわちＮ２〜Ｎ５よりも副走査方向にはみ出した領域にあるノズル列を後打ち記録に用いる。
【０１１７】
図２４（ａ）〜（ｄ）は、図２３に示した記録ヘッドを用い、有色インクで２パス、画質向上液で４パスのマルチパス記録を行う際に、本実施例に適用可能なマスクパターンの例を示す図である。図２４（ａ）は混在打ち記録を実現するためのマスクパターンＡ、同図（ｃ）は後打ち記録を実現するためのマスクパターンＢを示している。
【０１１８】
図２４（ａ）に示す混在打ち記録の場合、有色インクは、１パスと２パスで５０％ずつの記録を行う。よって、ノズル列Ｎ２〜Ｎ５については、各パスにおける記録許容率が５０％のマスクパターンＭ２が用意されている。一方、画質向上液を吐出するノズル列Ｎ１は、副走査方向においてノズル列Ｎ２〜Ｎ５と同じ位置にあるノズルで記録を行い、はみ出した位置にあるノズルでは記録を行わない。すなわち、ノズル列Ｎ１については、１パスと２パスの記録許容率が５０％で、３パスと４パスの記録許容率が０％のマスクパターンＭ１が用意されている。Ｍ１およびＭ２ともに、１パス用のマスクパターンと２パス用のマスクパターンは補完関係を有している。このようなマスクパターンを用いて４パス双方向記録（有色インクは２パス双方向記録）を行うと、記録媒体上では図２４（ｂ）に示す様に、有色インクの上に画質向上液が記録される箇所と、画質向上液の上に有色インクが記録される箇所が混在して現れる。
【０１１９】
一方、図２４（ｃ）に示す後打ち記録の場合、有色インクについては混在打ち記録と同等である。すなわち、ノズル列Ｎ２〜Ｎ５には、各パスにおける記録許容率が５０％のマスクパターンＭ２が用意されている。これに対し、画質向上液を吐出するノズル列Ｎ１は、副走査方向においてノズル列Ｎ２〜Ｎ５からはみ出した位置にあるノズルで記録を行い、同じ位置にあるノズルでは記録を行わない。すなわち、ノズル列Ｎ１については、１パスと２パスの記録許容率が０％で、３パスと４パスの記録許容率が５０％のマスクパターンＭ１が用意されている。マスクパターンＭ１において、３パス用のマスクパターンと４パス用のマスクパターンは補完関係を有している。このようなマスクパターンを用いて、４パス双方向記録（有色インクについては２パス双方向記録）を行うと、記録媒体上では図２４（ｄ）のように、有色インクの上に画質向上液が記録される箇所のみが存在する。
【０１２０】
このように、画質向上液を吐出するノズル列を１列しか有さない構成であっても、マルチパス記録における各パスの記録許容率を異ならせることで、各画素に対する混在打ち記録と後打ち記録を切り替えることが可能となる。
【０１２１】
なお、上記で説明した図２４（ａ）に示したマスクパターンＭ１については、３パスと４パスの記録許容率を完全に０％にしたが、混在打ち記録を実現するために、記録許容率は必ずしもこのような配分でなくても良い。混在打ち記録では、有色インクの上に画質向上液が記録される箇所と、画質向上液の上に有色インクが記録される箇所が適度に混在していればよい。従って、３パスと４パスの領域で記録許容率を０％にしないことによって、有色インクの上に画質向上液が記録される箇所が増えても、画質向上液の上に有色インクが記録される箇所が存在していれば、混在打ち記録を実現することは出来る。
【０１２２】
また、以上では図２３のように、画質向上液を吐出するノズル列Ｎ１が、有色インクを吐出するノズル列Ｎ２〜Ｎ５よりも副走査方向に長い構成で説明した。しかし、これらＮ１〜Ｎ５が同じ長さであっても、その位置関係をシフトさせることによって、混在打ち記録と後打ち記録とを上述したマスクパターンを用いて切り替えることが出来る。
【０１２３】
図２５は、本実施例で使用可能な記録ヘッドの別例である。ここでは画質向上液を吐出するノズル列Ｎ１は、有色インクを吐出するノズル列Ｎ２〜Ｎ５と同数の吐出口を備えながら、その長さの半分に相当する距離だけ副走査方向にずれて配置されている。本実施例では、このようなノズル列Ｎ１のうち、Ｎ２〜Ｎ５と副走査方向に重複した領域に位置するノズルを混在打ち記録に用いる。そして、残りの、すなわちＮ２〜Ｎ５よりも副走査方向の下流の領域にあるノズル列を後打ち記録に用いる。このような構成の記録ヘッドであれば、図２４で説明したような領域ごとに記録許容率の異なるマスクパターンを用意することにより、２パス以上のマルチパス記録において、混在打ち記録と後打ち記録とを画素に応じて調整することが出来る。
【０１２４】
以上説明したように、本実施例によれば、有色インクを吐出するノズル列と画質向上液を吐出するノズル列の配置に特徴を持たせることにより、混在打ち記録と後打ち記録を切り替えることが可能となる。
【０１２５】
（その他）
なお、以上の実施例では、安定した写像性を得るためには後打ち記録を行うことが有効という前提の下、混在打ち記録と後打ち記録とを切り替える内容で説明した。しかし、このような安定した写像性は、画質向上液を記録してから有色インクを記録するという逆の順番（先打ち記録）であっても、その順番が守られれば、同じように実現することが出来る場合もある。この場合には、混在打ち記録と先打ち記録とが記録デューティ等によって切り替えられるようなマスクパターンを用意すればよい。いずれにしても、有色インクと画質向上液のそれぞれが独立して定着できる程度に、有色インクと画質向上液の塗布タイミングが分離され、その順番が一定に守られているような記録方法と、混在打ち記録とが切り替えられるような構成が備わっていれば良い。
【０１２６】
また、以上の実施例では、図４や図２１で示したように、量子化までの処理をホスト装置で、ドットパターン化処理以降の処理を記録装置で実行する内容としたが、本発明はこのような構成に限定されるものではない。例えば、ホスト装置１１０で実行している処理Ｊ０００２〜Ｊ０００５の一部を記録装置２１０にて実行する形態であってもよいし、すべてをホスト装置１１０にて実行する形態であってもよい。あるいは、処理Ｊ０００２〜Ｊ０００８を記録装置２１０にて実行する形態であってもよい。
【符号の説明】
【０１２７】
１    記録ヘッド
１００    コントローラ
１１０    ホスト装置
２１０    記録装置
Ｊ０００５    量子化部
Ｊ０００７    ドット配置パターン化処理
Ｊ０００８    マスク処理
Ｎ１、Ｎ１１    画質向上液を吐出するノズル列
Ｎ２〜Ｎ１０    有色インクを吐出するノズル列
Ｍ１    画質向上液用のマスクパターン
Ｍ２    有色インク用のマスクパターン
【図１】
2012011727.tif 000003
【図２】
2012011727.tif 000004
【図３】
2012011727.tif 000005
【図４】
2012011727.tif 000006
【図５】
2012011727.tif 000007
【図６】
2012011727.tif 000008
【図７】
2012011727.tif 000009
【図８】
2012011727.tif 000010
【図９】
2012011727.tif 000011
【図１０】
2012011727.tif 000012
【図１１】
2012011727.tif 000013
【図１２】
2012011727.tif 000014
【図１３】
2012011727.tif 000015
【図１４】
2012011727.tif 000016
【図１５】
2012011727.tif 000017
【図１６】
2012011727.tif 000018
【図１７】
2012011727.tif 000019
【図１８】
2012011727.tif 000020
【図１９】
2012011727.tif 000021
【図２０】
2012011727.tif 000022
【図２１】
2012011727.tif 000023
【図２２】
2012011727.tif 000024
【図２３】
2012011727.tif 000025
【図２４】
2012011727.tif 000026
【図２５】
2012011727.tif 000027